(57)【要約】【課題】洗浄水の噴射により食器類の洗浄を行う食器洗い機において、制御基板を収容した制御装置を容易にスライドしつつ、がたつきなく収納するとともに、収納空間の部品構成を簡易化することで、より安価な食器洗い機を提供する。【解決手段】食器類２３を収容し洗浄する洗浄槽１８の下部を台枠２６により支持し、制御基板３２を内蔵した制御装置３０を台枠２６と洗浄槽１８下部との間に収納する。制御装置３０は、台枠２６と洗浄槽１８下部との間に上下および左右方向のがたつきを規制した状態でスライドし収納するよう構成する。【選択図】  図１
2004222976.tif 000002
【特許請求の範囲】
【請求項１】
食器類を収容し洗浄する洗浄槽と、この洗浄槽の下部を支持する台枠と、制御基板を内蔵し前記台枠と洗浄槽下部との間に収納する制御装置とを備え、前記制御装置は、前記台枠と洗浄槽下部との間に上下および左右方向のがたつきを規制した状態でスライドし収納するよう構成した食器洗い機。
【請求項２】
洗浄槽、台枠の少なくともいずれか一方に制御装置を保持する保持部を設け、前記制御装置は、前記洗浄槽と保持部との間、前記台枠と保持部との間、または保持部どうしの間に挿入し、保持するようにした請求項１記載の食器洗い機。
【請求項３】
制御装置は、洗浄槽と保持部との間、台枠と保持部との間、または保持部どうしの間に圧入して保持するようにした請求項２記載の食器洗い機。
【請求項４】
保持部は、制御装置の左右方向のずれを規制するようにした請求項２または３記載の食器洗い機。
【請求項５】
台枠の上面に前方および上方が開口した収容室を形成し、洗浄槽の下部で前記収容室の上方を覆い、前記収容室の前方開口から制御装置をスライドし収納する構成とした請求項１記載の食器洗い機。
【発明の詳細な説明】
【０００１】
【発明の属する技術分野】
本発明は、洗浄水の噴射により食器類の洗浄を行う食器洗い機に関する。
【０００２】
【従来の技術】
従来、この種の食器洗い機は図４に示すように構成していた。以下、その構成について説明する。
【０００３】
図４に示すように、洗浄槽１は、前方に開口部を有し、この開口部を扉２により開閉するとともに、洗浄水を噴射する洗浄ノズル３を回転自在に配設しており、洗浄槽１内に食器類４を収容する食器かご５を配置している。また、食器洗い機本体６の下部に台枠７を設け、洗浄槽１を支持している。
【０００４】
扉２の内部には、食器洗い機の運転を切り換える切換スイッチ８を有する操作板９を扉２の前面より操作できるよう設けている。また、台枠７には、制御装置１０を前方へ引き出し自在に設け、前面カバー１１を取り外すことで前面に引き出し可能としている。制御装置１０の内部には、接続部１２を有する機器制御用の制御基板１３を配設し、扉内リード線１４によって操作板９に設けた操作板側接続部１５と接続している。また、制御基板１３は接続部１２よりポンプ１６等の負荷部品と本体内リード線１７で接続している。本体内リード線１７は、制御装置１０が機器の前面まで引き出される分、長さに余裕を持たせる構成としている（例えば、特許文献１参照）。
【０００５】
【特許文献１】
特開平１１−２０６６６８号公報（図１）
【０００６】
【発明が解決しようとする課題】
このような従来の構成では、制御装置１０を収納する空間は、台枠７のみで構成されるため、制御装置１０を収納する際に、上下方向に空間があるためスライドさせて収納するには位置が定まりにくいという問題を有していた。また、左右方向にもがたつきが生じ易い構成であった。
【０００７】
また、制御装置１０には、制御基板１３を収納する部分以外に台枠７に固定する部分が必要になるため、構成が複雑になり、部品の金型や単価が増える要因になるという問題を有していた。
【０００８】
本発明は上記課題を解決するもので、制御基板を収容した制御装置を容易にスライドしつつ、がたつきなく収納するとともに、収納空間の部品構成を簡易化することで、より安価な食器洗い機を提供することを目的としている。
【０００９】
【課題を解決するための手段】
本発明は上記目的を達成するために、食器類を収容し洗浄する洗浄槽の下部を台枠により支持し、制御基板を内蔵した制御装置を台枠と洗浄槽下部との間に収納するよう構成し、制御装置は、台枠と洗浄槽下部との間に上下および左右方向のがたつきを規制した状態でスライドし収納するよう構成したものである。
【００１０】
これにより、制御基板を収容した制御装置を容易にスライドしつつ、がたつきなく収納できるとともに、収納空間の部品構成を簡易化することで、より安価な食器洗い機を提供することができる。
【００１１】
【発明の実施の形態】
本発明の請求項１に記載の発明は、食器類を収容し洗浄する洗浄槽と、この洗浄槽の下部を支持する台枠と、制御基板を内蔵し前記台枠と洗浄槽下部との間に収納する制御装置とを備え、前記制御装置は、前記台枠と洗浄槽下部との間に上下および左右方向のがたつきを規制した状態でスライドし収納するよう構成したものであり、制御基板を収容した制御装置を容易にスライドしつつ、がたつきなく収納できるとともに、収納空間の部品構成を簡易化することで、より安価な食器洗い機を提供することができる。
【００１２】
請求項２に記載の発明は、上記請求項１に記載の発明において、洗浄槽、台枠の少なくともいずれか一方に制御装置を保持する保持部を設け、前記制御装置は、前記洗浄槽と保持部との間、前記台枠と保持部との間、または保持部どうしの間に挿入し、保持するようにしたものであり、制御装置を洗浄槽と台枠との間にがたつきなく容易に収納することができ、また、制御基板に負荷をかけることなく制御装置を収納することができる。
【００１３】
請求項３に記載の発明は、上記請求項２に記載の発明において、制御装置は、洗浄槽と保持部との間、台枠と保持部との間、または保持部どうしの間に圧入して保持するようにしたものであり、制御装置を洗浄槽と台枠との間に確実に、かつ強固に収納することができる。
【００１４】
請求項４に記載の発明は、上記請求項２または３に記載の発明において、保持部は、制御装置の左右方向のずれを規制するようにしたものであり、保持部の間隔を制御装置の幅に合わせることで、制御装置の左右方向のずれを規制することができ、制御装置を洗浄槽と台枠との間に左右方向のがたつきなく収納することができる。
【００１５】
請求項５に記載の発明は、上記請求項１に記載の発明において、台枠の上面に前方および上方が開口した収容室を形成し、洗浄槽の下部で前記収容室の上方を覆い、前記収容室の前方開口から制御装置をスライドし収納する構成としたものであり、機器の組立が簡易化されるとともに、メンテナンス時に制御装置を引き出した後、収納室に収納する際に、ポンプ等の負荷部品と干渉することなく、容易に収納作業を行うことができる。
【００１６】
【実施例】
以下、本発明の実施例について、図面を参照しながら説明する。
【００１７】
（実施例１）
図１に示すように、洗浄槽１８は、樹脂製の底部構成部材１９と、この底部構成部材１９の上に設けた金属（ステンレス）製の洗浄槽本体２０とで構成している。この洗浄槽１８は洗浄槽本体１６の前方に開口部を有し、この開口部を扉２１により開閉するとともに、底部構成部材１９に洗浄水を噴射する洗浄ノズル２２を回転自在に配設しており、洗浄槽１８内に食器類２３を収容する食器かご２４を配置している。また、食器洗い機本体２５の下部に台枠２６を設け、洗浄槽１８を支持している。また、食器洗い機本体２５の前面下部に前面カバー２２を取り外し自在に設けている。
【００１８】
扉２１の内部には、食器洗い機の運転を切り換える切換スイッチ２８を有する操作板２９を前面より操作できるよう設けている。また、台枠２６と底部構成部材１９の間に、制御装置３０を前方へ引き出し自在に設け、前面カバー２７を取り外すことで前面に引き出し可能としている。
【００１９】
また、制御装置３０の内部には、接続部３１を有する機器制御用の制御基板３２を配設し、扉内リード線３３によって操作板２９に設けた操作板側接続部３４と接続している。また、制御基板３２は、接続部３１を通してポンプ３５等の負荷部品と本体内リード線３６で接続している。本体内リード線３６は、制御装置３０が機器の前面まで引き出される分、長さに余裕を持たせ構成している。
【００２０】
また、制御装置３０は、図２に示すように、下方を開放した状態で底部構成部材１９と台枠２６１の間に収納し、制御基板３２は扉内リード線３３および本体内リード線３６を下方から接続可能に収容している。また、上方の外周には外方にのびるフランジ３７を設けている。
【００２１】
また、底部構成部材１９の下部に第１の保持部（保持部）３８を設けるとともに、台枠２６に第２の保持部（保持部）３９を設け、これら第１の保持部３８と第２の保持部３９との間に、制御装置３０のフランジ３７を前方よりスライドして挿入し、保持するよう構成している。ここで、第２の保持部３９は、制御装置３０の幅に合わせて制御装置３０の左右に設け、制御装置３０の左右方向のずれを規制するようにしている。
【００２２】
上記の構成において作用を説明すると、機器のメンテナンス時には、前面カバー２７を取り外し、本体内リード線３６および扉内リード線３３が接続された状態で、制御基板３２を収容した制御装置３０を取り出す。メンテナンスが終了すると元の位置に制御装置３０を収納する必要があるが、制御装置３０は、底部構成部材１９の下部に設けた第１の保持部３８と台枠２６に設けた第２の保持部３９との間に、フランジ３７を前方よりスライドして挿入し、保持することで、上下方向にがたつきなく容易にスライド収納することができる。また、台枠２６に設けた第２の保持部３９によって左右位置にがたつきなく収納することができる。
【００２３】
このように本実施例によれば、制御装置３０は、台枠２６と底部構成部材１９（洗浄槽１８）の下部との間に上下および左右方向のがたつきを規制した状態でスライドし収納するよう構成したので、制御基板３２を収容した制御装置３０を容易にスライドしつつ、がたつきなく収納できるとともに、収納空間の部品構成を簡易化することで、より安価な食器洗い機を提供することができる。
【００２４】
また、底部構成部材１９（洗浄槽１８）の下部に設けた第１の保持部３８と台枠２６に設けた第２の保持部３９との間に、制御装置３０のフランジ３７を前方よりスライドして挿入し、保持するよう構成したので、制御装置３０を洗浄槽１８と台枠２６との間にがたつきなく容易に収納することができ、また、制御基板３２に負荷をかけることなく制御装置３０を収納することができる。
【００２５】
また、第２の保持部３９は、制御装置３０の左右方向のずれを規制するようにしたので、第２の保持部３９の間隔を制御装置３０の幅に合わせることで、制御装置３０の左右方向のずれを規制することができ、制御装置３０を洗浄槽１８と台枠２６との間に左右方向のがたつきなく収納することができる。
【００２６】
なお、本実施例では、底部構成部材１９（洗浄槽１８）の下部に設けた第１の保持部３８と台枠２６に設けた第２の保持部３９との間に、制御装置３０のフランジ３７を前方よりスライドして挿入し、保持するよう構成しているが、第１の保持部３８と第２の保持部３９との間の隙間を狭くして、制御装置３０のフランジ３７を圧入して保持するようにしてもよく、制御装置３０を洗浄槽１８と台枠２６との間に確実に、かつ強固に収納することができる。
【００２７】
また、本実施例では、底部構成部材１９（洗浄槽１８）の下部に設けた第１の保持部３８と台枠２６に設けた第２の保持部３９との間に、制御装置３０のフランジ３７を前方よりスライドして挿入し、保持するよう構成しているが、底部構成部材１９（洗浄槽１８）の下部に設けた第１の保持部３８と台枠２６との間、または、底部構成部材１９（洗浄槽１８）と台枠２６に設けた第２の保持部３９との間に、制御装置３０のフランジ３７を前方よりスライドして挿入または圧入して保持してもよく、同様の作用、効果を得ることができる。
【００２８】
また、本実施例では、第２の保持部３９により制御装置３０の左右方向のずれを規制するようにしているが、第１の保持部３８の間隔を制御装置３０の幅に合わせることで、第１の保持部３８により制御装置３０の左右方向のずれを規制するようにしてもよく、同様の作用、効果を得ることができる。
【００２９】
また、制御装置３０のフランジ３７の位置は任意であり、第１の保持部３８および第２の保持部３９の高さを調整することで同様の効果を得ることができる。
【００３０】
また、第２の保持部３９には、がたつきをなくす効果とともに、制御装置３０の収納場所を分かりやすくすることができる。
【００３１】
また、制御装置３０をがたつきなく収納することで、ビス固定などをなくすことができ、また、第１の保持部３８、第２の保持部３９ともに、上下方向の金型構成で容易に構成できるため、余分にコストをかけることがなく、安価な食器洗い機を提供することができる。
【００３２】
（実施例２）
図３に示すように、台枠４０は、食器洗い機本体（図示せず）の下部に設け、洗浄槽（図示せず）を支持するもので、この台枠４０の上面に略コ字状の規制リブ４１を設け、前方および上方が開口した収納室４２を形成している。規制リブ４１の上方は制御装置４３と当接させるとともに、左右方向をがたつきなく規制し、洗浄槽の下部で収容室４２の上方を覆い、収容室４２の前方開口から制御装置４３をスライドし収納する構成としている。他の構成は実施例１と同じである。
【００３３】
上記構成において作用を説明すると、メンテナンス時に制御基板を収容した制御装置４３を引き出した後、収納室４２に収納する際に、前面カバーを取り外した状態でも規制リブ４１によって、制御装置４３の収納室４２にはポンプ等の負荷部品や本体側リード線と干渉することなく、容易にまたがたつきなく収納作業を行うことができる。
【００３４】
このように本実施例によれば、台枠４０の上面に前方および上方が開口した収容室４２を形成し、洗浄槽の下部で収容室４２の上方を覆い、収容室４２の前方開口から制御装置４３をスライドし収納する構成としたので、機器の組立が簡易化されるとともに、メンテナンス時に制御装置を引き出した後、収納室４２に収納する際に、ポンプ等の負荷部品と干渉することなく、容易に収納作業を行うことができる。
【００３５】
【発明の効果】
以上のように、本発明の請求項１に記載の発明によれば、制御装置は、台枠と洗浄槽下部との間に上下および左右方向のがたつきを規制した状態でスライドし収納するよう構成したから、制御基板を収容した制御装置を容易にスライドしつつ、がたつきなく収納できるとともに、収納空間の部品構成を簡易化することで、より安価な食器洗い機を提供することができる。
【図面の簡単な説明】
【図１】本発明の第１の実施例の食器洗い機の縦断面図
【図２】同食器洗い機の要部断面図
【図３】本発明の第２の実施例の食器洗い機の一部切欠した要部分解斜視図
【図４】従来の食器洗い機の縦断面図
【符号の説明】
１８  洗浄槽
２３  食器類
２６  台枠
３０  制御装置
３２  制御基板
【図１】
2004222976.tif 000003
【図２】
2004222976.tif 000004
【図３】
2004222976.tif 000005
【図４】
2004222976.tif 000006